(57)【要約】【課題】  ニット製品の洗濯に際して、ネット袋の別途購入手間を省略することができるネット袋入りのニット製品を提供する。【解決手段】  ネット袋入りのニット製品１は、ネット袋２と、このネット袋に出し入れ自在に収納されているニット製のインナーニットキャップ４とからなる。これにより、ネット袋２にニット製のインナーニットキャップ４を収納した形態で店頭に陳列して販売することができる。そのため、購入者は、ネット袋２とニット製のインナーニットキャップ４とを同時に購入することになる。したがって、インナーニットキャップ４の洗濯に際して、ネット袋２を別途購入する手間が不要になる。【選択図】        図１
0003160920.tif 000002
【実用新案登録請求の範囲】
【請求項１】
ネット袋と、このネット袋に出し入れ自在に収納されているニット製品とからなることを特徴とするネット袋入りのニット製品。
【請求項２】
請求項１に記載のネット袋は、前記ネット袋に収納されるニット製品の大きさに適合した大きさに形成されているネット袋入りのニット製品。
【請求項３】
請求項１または２に記載のネット袋入りのニット製品において
前記ニット製品は、インナーニットキャップであるネット袋入りのニット製品。
【請求項４】
請求項１または２に記載のネット袋入りのニット製品において
前記ニット製品は、手袋であるネット袋入りのニット製品。
【請求項５】
請求項１または２に記載のネット袋入りのニット製品において
前記ニット製品は、靴下であるネット袋入りのニット製品。
【考案の詳細な説明】
【技術分野】
【０００１】
本考案は、ネット袋入りのニット製品に関するものである。
【背景技術】
【０００２】
従来、ニット製品、例えばインナーニットキャップ、帽子、手袋などの小物のニット製品は、帽子や手袋などの製品自体に取り付けられた掛止具を介して包装などせずに裸の状態で吊り下げられて販売されていた。また、セーターやマフラーなど大きめのニット製品は、透明なフィルム袋などで包装されて販売されていた。
【先行技術文献】
【特許文献】
【０００３】
【特許文献１】特になし。
【考案の概要】
【考案が解決しようとする課題】
【０００４】
ニット製品が汚れた場合洗濯する必要があるが、特に、帽子や手袋などの小物のニット製品は、直接身体と接触するため定期的な洗濯が不可欠であった。しかし、ニット製品は織物製品と異なり編み組織で編成されているため家庭用の洗濯機で水洗いした場合、ニット製品の編み糸が解れたり、ニット製品自体が縮んだり、形崩れなどの不都合が生じることがあった。
そこで、上記のような不都合が生じないように、ニット製品を家庭用の洗濯機で水洗いする場合においては、洗濯による形崩れや編み糸のほつれ等を防止するために、洗浄液透過性を備えたネット袋に収納した状態で洗濯される。またそのネット袋は、ニット製品自体の大ききに合致する大きさのネット袋が望ましいものであった。
【０００５】
しかし、ネット袋が常に家庭に備わっているものでなく、仮にネット袋が家庭に備わっている場合においても、ニット製品自体の大ききに適合する大きさのネット袋が無いことが多かった。
ところで、ニット製の衣類のような大型のニット製品を収納する大型のネット袋は家庭に備わっているケースが多い。そのため、前記ニット製のインナーニットキャップのような小型のニット製品であっても、家庭に既存の大型のネット袋に収納して洗濯することが考えられるが、ネット袋と該ネット袋に収納されるニット製品との大きさが大き過ぎると、洗濯時にネット袋とニット製品との間に相対移動が生じて形崩れや編み糸のほつれ等が発生し易くなる。したがって、インナーニットキャップ、帽子、手袋などの小物のニット製品は小物のニット製品大きさに適合した大きさのネット袋に収納して洗濯することが賢明であるとされる。しかし、インナーニットキャップ、帽子、手袋などの小物のニット製品を収納する小形のネット袋は、家庭に備わっていないケースが多い。そのため、小形のニット製品の洗濯に際して、小形のネット袋を別途購入する煩わしい手間が必要になる問題点を有している。
【０００６】
本考案は、このような問題を解決するものであって、その目的とするところは、ニット製品の洗濯に際して、ニット製品自体の大ききに適合する大きさのネット袋を別途購入手間を省略することができるネット袋入りのニット製品を提供することにある。
【課題を解決するための手段】
【０００７】
前記目的を達成するために、本考案に係るネット袋入りのニット製品は、ネット袋と、このネット袋に出し入れ自在に収納されているニット製品とからなることを特徴としている。
【０００８】
本考案に係るネット袋入りのニット製品は、ネット袋にニット製品を収納した形態で店頭に陳列して販売される。購入者は、ネット袋からニット製品を取出して着用する。経時によるニット製品の洗濯は、ネット袋にニット製品を収納した状態で行う。ネット袋にニット製品を収納した形態で購入できることにより、ニット製品の洗濯に際してネット袋を別途購入する手間が不要になる。また、ネット袋の大きさは、ニット製の大きさに適合する大きさに設定される。したがって、洗濯時のネット袋とニット製品との相対移動を抑制できるので、形崩れや編み糸のほつれ等の生じない洗濯が可能になる。
【０００９】
前記ニット製品がインナーニットキャップであると、ネット袋にニット製のインナーニットキャップを収納した形態で店頭に陳列して販売される。購入者は、ネット袋からニット製のインナーニットキャップを取出して着用する。経時によるニット製のインナーニットキャップの洗濯は、ネット袋にニット製のインナーニットキャップを収納した状態で行う。ネット袋にニット製のインナーニットキャップを収納した形態で購入できることにより、該インナーニットキャップの洗濯に際してネット袋を別途購入する手間が不要になる。また、ネット袋の大きさは、ニット製のインナーニットキャップの大きさに適合する大きさに設定される。したがって、洗濯時のネット袋とニット製のインナーニットキャップとの相対移動を抑制できるので、形崩れや編み糸のほつれ等の生じない洗濯が可能になる。さらに、ネット袋にニット製のインナーニットキャップを収納した形態で保管あるいは携行することで、ニット製のインナーニットキャップと他部材との接触を避けて、インナーニットキャップの損傷を防止できる。
【００１０】
前記ニット製品が手袋であると、ネット袋にニット製の手袋を収納した形態で店頭に陳列して販売される。購入者は、ネット袋からニット製の手袋を取出して着用する。経時によるニット製の手袋の洗濯は、ネット袋にニット製の手袋を収納した状態で行う。ネット袋にニット製の手袋を収納した形態で購入できることにより、該手袋の洗濯に際してネット袋を別途購入する手間が不要になる。また、ネット袋の大きさは、ニット製の手袋の大きさに適合する大きさに設定される。したがって、洗濯時のネット袋とニット製の手袋との相対移動を抑制できるので、形崩れや編み糸のほつれ等の生じない洗濯が可能になる。さらに、ネット袋にニット製の手袋を収納した形態で保管あるいは携行することで、ニット製の手袋と他部材との接触を避けて、手袋の損傷を防止できる。
【００１１】
前記ニット製品が靴下であると、ネット袋にニット製の靴下を収納した形態で店頭に陳列して販売される。購入者は、ネット袋からニット製の靴下を取出して着用する。経時によるニット製の靴下の洗濯は、ネット袋にニット製の靴下を収納した状態で行う。ネット袋にニット製の靴下を収納した形態で購入できることにより、該靴下の洗濯に際してネット袋を別途購入する手間が不要になる。また、ネット袋の大きさは、ニット製の靴下の大きさに適合する大きさに設定される。したがって、洗濯時のネット袋とニット製の靴下との相対移動を抑制できるので、形崩れや編み糸のほつれ等の生じない洗濯が可能になる。さらに、ネット袋にニット製の靴下を収納した形態で保管あるいは携行することで、ニット製の靴下と他部材との接触を避けて、靴下の損傷を防止できる。
【考案の効果】
【００１２】
本考案に係るネット袋入りのニット製品によれば、ニット製品の洗濯に際して、ネット袋を別途購入する手間が不要になる。また、ネット袋の大きさは、ニット製の大きさに適合する大きさに設定されるので、洗濯時にネット袋とニット製品との間の相対移動が抑制され、形崩れや編み糸のほつれ等が生じない洗濯が可能になる。さらに、ネット袋にニット製品を収納した形態で保管あるいは携行することで、ニット製品と他部材との接触を避けて、ニット製品の損傷を防止できる。
【図面の簡単な説明】
【００１３】
【図１】本考案に係るネット袋入りのニット製品の一実施形態を示す正面図である。
【図２】本考案に適用されるネット袋の一実施形態を示す正面図である。
【図３】本考案に適用されるニット製品の一実施形態を示す斜視図である。
【図４】図２のネット袋に図３のニット製品を収納する前段になされるニット製品の折り畳み手順の説明図であり、図４（ａ）は初回の折り畳み状態を示す概略正面であり、図４（ｂ）は第２回目の折り畳み状態を示す概略正面である。
【図５】本考案に係るネット袋入りのニット製品の他の実施形態を示す正面図である。
【図６】本考案に係るネット袋入りのニット製品のさらに異なる実施形態を示す正面図である。
【考案を実施するための形態】
【実施例】
【００１４】
図１は本考案に係るネット袋入りのニット製品の一実施形態を示す正面図、図２は本考案に適用されるネット袋の一実施形態を示す正面図、図３は本考案に適用されるニット製品の一実施形態を示す斜視図である。
【００１５】
図１〜図３において、ネット袋入りのニット製品１は、樹脂繊維製または樹脂の成形品からなるネット袋２と、このネット袋２に出し入れ自在に収納されているニット製品３とからなり、本実施形態では、ニット製品３の一実施形態としてニット製のインナーニットキャップ４が適用されてネット袋２に出し入れ自在に収納されている。また、ネット袋２とインナーニットキャップ４とのボリューム差は、小さく設定されている。
【００１６】
図１，図２において、ネット袋２は、ネット構造の袋形本体部２ａと、該袋形本体部２ａの上端開口部２ｂに取り付けられて該上端開口部２ｂの左右両側に延出する操作紐２ｃとを備え、図２に示す上端開口部２ｂの開放状態において、操作紐２ｃを左右両側への引っ張り操作（図２の矢印Ｆ）することにより、上端開口部２ｂは、図１に示すように縮小して閉じられ、このように閉じられた上端開口部２ｂは、矢印Ｆ１に示すように、左右両側へ引っ張ることで図２に示すように開放される。したがって、図２に示す上端開口部２ｂの開放状態でネット袋２にインナーニットキャップ４を収納したのち、操作紐２ｃを左右両側への引っ張り操作して、上端開口部２ｂを図１のように閉じた形態で販売され、インナーニットキャップ４の取出しは、上端開口部２ｂを左右両側へ引っ張って開放することによってなされる。
【００１７】
本考案に係るネット袋入りのニット製品１は、図１に示すように、ネット袋２にニット製品３を収納した形態で店頭に陳列して販売される。つまり、前記第１実施形態のように、ニット製品３がニット製のインナーニットキャップ４であると、ネット袋２にニット製のインナーニットキャップ４を収納した形態で店頭に陳列して販売される。したがって、購入者は、ネット袋２とニット製のインナーニットキャップ４とを同時に購入することになる。
【００１８】
ネット袋２へのニット製のインナーニットキャップ４の収納に際して、インナーニットキャップ４を折り畳む。その折り畳みは、図３に示すインナーニットキャップ４を、その幅方向の中心線Ｃの谷折りによって、図４（ａ）のように初回の折り畳みを行い、つぎに、図４（ａ）に示す折り畳み線Ｃ１の谷折りによって、図４（ｂ）のように第２回目の折り畳みを行う手順によってなされる。このように折り畳まれたニット製のインナーニットキャップ４は、図１に示すように、その上下を反転させた姿勢でネット袋２に収納される。なお、インナーニットキャップ４の折り畳み回数は、前記二度折りのみに限らず三度折りしてネット袋２に収納してもよい。また、インナーニットキャップ４の上下を反転させずにネット袋２に収納してもよい。
【００１９】
ネット袋２とニット製のインナーニットキャップ４とを同時に購入した購入者は、ネット袋２からニット製のインナーニットキャップ４を取出して着用する。経時によるニット製のインナーニットキャップ４の洗濯は、ネット袋２にニット製のインナーニットキャップ４を収納した状態で行う。ネット袋２にニット製のインナーニットキャップ４を収納した形態で購入していることにより、該インナーニットキャップ４の洗濯に際して、従来のように、ネット袋２を別途購入する手間が不要になる。また、ネット袋２の大きさは、ニット製のインナーニットキャップ４の大きさに適合して設定されているので、洗濯時のネット袋２とニット製のインナーニットキャップ４との相対移動が抑制される。そのため、ニット製のインナーニットキャップ４の形崩れや編み糸のほつれ等の生じない洗濯が可能になる。さらに、ネット袋２にニット製のインナーニットキャップ４を収納した形態で保管あるいは携行することで、ニット製のインナーニットキャップ４と他部材との接触を避けて、インナーニットキャップ４の損傷を防止できる。
【００２０】
一方、ニット製品３がニット製の手袋であると、図５に示すように、ネット袋２にニット製の手袋８を収納した形態で店頭に陳列して販売される。したがって、購入者は、ネット袋２とニット製の手袋８とを同時に購入することになる。
【００２１】
ニット製の手袋８使用後の経時による洗濯は、ネット袋２にニット製の手袋８を収納した状態で行う。ネット袋２にニット製の手袋８を収納した形態で購入していることにより、該手袋８の洗濯に際して、従来のように、ネット袋２を別途購入する手間が不要になる。また、ネット袋２の大きさは、ニット製の手袋８の大きさに適合して設定されているので、洗濯時のネット袋２とニット製の手袋８との相対移動が抑制される。そのため、ニット製の手袋８の形崩れや編み糸のほつれ等の生じない洗濯が可能になる。さらに、ネット袋２にニット製の手袋８を収納した形態で保管あるいは携行することで、ニット製の手袋８と他部材との接触を避けて、手袋８の損傷を防止できる。
【００２２】
他方、ニット製品３がニット製の靴下であると、図６に示すように、ネット袋２にニット製の靴下９を収納した形態で店頭に陳列して販売される。したがって、購入者は、ネット袋２とニット製の靴下９とを同時に購入することになる。
【００２３】
ニット製の靴下９使用後の経時による洗濯は、ネット袋２にニット製の靴下９を収納した状態で行う。ネット袋２にニット製の靴下９を収納した形態で購入していることにより、該靴下９の洗濯に際して、従来のように、ネット袋２を別途購入する手間が不要になる。また、ネット袋２の大きさは、ニット製の靴下９の大きさに適合して設定されているので、洗濯時のネット袋２とニット製の靴下９との相対移動が抑制される。そのため、ニット製の靴下９の形崩れや編み糸のほつれ等の生じない洗濯が可能になる。さらに、ネット袋２にニット製の靴下９を収納した形態で保管あるいは携行することで、ニット製の靴下９と他部材との接触を避けて、靴下９の損傷を防止できる。
【産業上の利用可能性】
【００２４】
ニット製のインナーニットキャップやニット製の手袋、あるいはニット製の靴下などのニット製品をネット袋に収納した形態で店頭に陳列して販売する。これにより、ニット製品の洗濯に際してネット袋を別途購入する手間を不要にすることができる。
【符号の説明】
【００２５】
１  ネット袋入りのニット製品
２  ネット袋
３  ニット製品
４  ニット製のインナーニットキャップ
８  ニット製の手袋
９  ニット製の靴下
【図１】
0003160920.tif 000003
【図２】
0003160920.tif 000004
【図３】
0003160920.tif 000005
【図４】
0003160920.tif 000006
【図５】
0003160920.tif 000007
【図６】
0003160920.tif 000008
【手続補正書】
【提出日】平成22年5月11日(2010.5.11)
【手続補正１】
【補正対象書類名】実用新案登録請求の範囲
【補正対象項目名】全文
【補正方法】変更
【補正の内容】
【実用新案登録請求の範囲】
【請求項１】
ネット袋と、このネット袋に出し入れ自在に収納されているニット製品とからなることを特徴とするネット袋入りのニット製品。
【請求項２】
請求項１に記載のネット袋入りのニット製品において、
前記ネット袋は、前記ネット袋に収納されるニット製品の大きさに適合した大きさに形成されているネット袋入りのニット製品。
【請求項３】
請求項１または２に記載のネット袋入りのニット製品において、
前記ニット製品は、インナーニットキャップであるネット袋入りのニット製品。
【請求項４】
請求項１または２に記載のネット袋入りのニット製品において、
前記ニット製品は、手袋であるネット袋入りのニット製品。
【請求項５】
請求項１または２に記載のネット袋入りのニット製品において、
前記ニット製品は、靴下であるネット袋入りのニット製品。